(57)【要約】【課題】  頑丈で荷重に強く、内部の保守点検清掃が可能な貯水施設を提供する。【解決手段】  間隔を空けて配置された複数の空隙組立体と、隣接する前記空隙組立体の間に形成される通路と、前記通路の方向に間隔を空けて配列された前記通路の両側の複数の通路壁を有し、前記通路を挟んで対向する一対の前記通路壁及びこれに隣接する他の一対の通路壁を連結部材で連結したことを特徴とする貯水施設とした。【選択図】  図１
2019044381.tif 000002
【特許請求の範囲】
【請求項１】
間隔を空けて配置された複数の空隙組立体と、
隣接する前記空隙組立体の間に形成される通路と、
前記通路の方向に間隔を空けて配列された前記通路の両側の複数の通路壁を有し、
前記通路を挟んで対向する一対の前記通路壁及びこれに隣接する他の一対の通路壁を連結部材で連結したことを特徴とする貯水施設。
【請求項２】
前記通路壁は、中間高さに係合凹部を有し、
前記連結部材は、前記係合凹部に係合する係合凹部を有し、
前記通路壁と前記連結部材の前記係合凹部同士を相互に相欠き継ぎすることで前記通路壁と前記連結部材が連結されていることを特徴とする請求項１の貯水施設。
【請求項３】
前記通路壁は、前記空隙組立体よりも背が高く、
前記複数の通路壁の上端に架設された剛性部材で形成された天井を更に有することを特徴とする請求項１の貯水施設。
【請求項４】
前記天井が、前記通路壁の上端を収容する凹部を有する請求項３に記載の貯水施設。
【請求項５】
前記複数の空隙組立体の外周に、前記空隙組立体よりも背の高い外周側壁が立設されており、
前記天井がさらに前記外周側壁の上端に架設されていることを特徴とする請求項４に記載の貯水施設。
【発明の詳細な説明】
【技術分野】
【０００１】
本発明は、雨水等を貯留又は浸透させるための貯水施設に関する。
【背景技術】
【０００２】
窪地等に高空隙率の空隙組立体を設置し、土で埋戻すことで、雨水の貯留空間を形成した貯水施設が知られている（特許文献１，２）。この貯水施設は、低コストであり、空隙組立体の空隙に大量の貯水が可能である。
【先行技術文献】
【特許文献】
【０００３】
【特許文献１】特開２００４−２１１３１６号公報
【特許文献２】特開２０１２−０９２５５２号公報
【特許文献３】特開平１０−２５２１０８号公報
【特許文献４】特開平１１−２２２８８６号公報
【特許文献５】特開２００８−２８０７７５号公報
【特許文献６】特開２００７−３３２６９２号公報
【発明の概要】
【発明が解決しようとする課題】
【０００４】
しかし、長期間の使用により貯水施設に泥濘が蓄積する等の問題が生じるため、内部の保守点検清掃等を行いたい希望があるが、空隙組立体は、プラスチック等からなる凹凸構造の単位部材（ブロック）を組み上げて連結した構造のため、内部に人が入ることはできなかった。
【課題を解決するための手段】
【０００５】
本願には、下記発明が開示される。
＜構成１＞
間隔を空けて配置された複数の空隙組立体と、
隣接する前記空隙組立体の間に形成される通路と、
前記通路の方向に間隔を空けて配列された前記通路の両側の複数の通路壁を有し、
前記通路を挟んで対向する一対の前記通路壁及びこれに隣接する他の一対の通路壁を連結部材で連結したことを特徴とする貯水施設。
＜構成２＞
前記通路壁は、中間高さに係合凹部を有し、
前記連結部材は、前記係合凹部に係合する係合凹部を有し、
前記通路壁と前記連結部材の前記係合凹部同士を相互に相欠き継ぎすることで前記通路壁と前記連結部材が連結されていることを特徴とする構成１の貯水施設。
＜構成３＞
前記通路壁は、前記空隙組立体よりも背が高く、
前記複数の通路壁の上端に架設された剛性部材で形成された天井を更に有することを特徴とする構成１の貯水施設。
＜構成４＞
前記天井が、前記通路壁の上端を収容する凹部を有する構成３に記載の貯水施設。
＜構成５＞
前記複数の空隙組立体の外周に、前記空隙組立体よりも背の高い外周側壁が立設されており、
前記天井がさらに前記外周側壁の上端に架設されていることを特徴とする構成４に記載の貯水施設。
【図面の簡単な説明】
【０００６】
【図１】図１は、本発明の１実施形態の貯水施設１を示す。
【図２】図２は、例示的なブロック１１の斜視図、平面図及び側断面図を示す。
【図３】図３（ａ）は、空隙組立体１０を側方から示し、図３（ｂ）は、空隙組立体１０を上方から示す。
【図４】図４（ａ）は、貯水施設１を側方から示し、図４（ｂ）は、貯水施設１を上方から示す。
【図５】図５（ａ）は、通路壁２１を、図５（ｂ）、（ｃ）は、連結部材３１，３１’をそれぞれ平面視で示す。
【図６】図６は、外周側壁４０の斜視図を示す。
【図７】図７は、支持部材５０の斜視図、平面図及び側断面図を示す。
【図８】図８は、Ｚ状金具２５を示す。
【図９】図９は、図４（ａ）のＡ部分を拡大して示す。
【図１０】図１０は、変形形態に係る連結部材３１Ａを示す。
【図１１】図１１（ａ）は横材３３を示し、図１１（ａ）は縦材３４を示し、図１１（ａ）は通路壁２１を示す。
【図１２】図１２は、ブロック１１の他の形状を示す。
【発明を実施するための形態】
【０００７】
図１は、本発明の１実施形態の貯水施設１を示す。貯水施設１は、間隔を空けて配置された複数の空隙組立体１０と、通路２０と、通路２０の両側の通路壁２１を有する。通路２０は、人が通れる広さがよい。貯水施設１は、窪地２に設置するのが好ましい。窪地２内の貯水施設１の周囲の空間は、地面３まで土で埋め戻すと、貯水施設１の上の空間を駐車場や公園等任意の目的で利用できる。空隙組立体１０の下地４は、砕石層や基礎コンクリート層とするとよい。貯水施設１は、図示しない流入管、流出管、溢流管、泥だめます、オリフィスなど必要に応じた付帯設備を有し得る。
【０００８】
空隙組立体１０は、複数のブロックで形成できる。ブロックは、空隙を形成できる形状がよい。図２は、例示的なブロック１１の斜視図、平面図及び側断面図を示す。図のブロック１１は、基部と、基部から上に延びる４本の脚を有する。ブロック３１は、例えば、特許文献３〜５や図１１ａ、ｂなどのような他の形状でもよい。ブロック１１は、硬質のプラスチック等で形成するとよい。
【０００９】
図３（ａ）は、空隙組立体１０を側方から示し、図３（ｂ）は、空隙組立体１０を上方から示す。図のように、空隙組立体１０は、上下前後左右に積み重ねられたブロック１１で構成される。隣接するブロック１１は、プラスチック等の連結部材１２で連結するとよい。ブロック１１は、他の方法（例えば、特許文献６）で連結してもよい。上下のブロック１１の連結や強度向上のため、ブロック１１の脚にコンクリート等で形成された補強柱１３を挿入するとよい。空隙組立体１０では、ブロック１１の脚部の間に空隙が形成されるので、大量の貯水が可能である。空隙組立体１０は、耐水性又は透水性のシート（不図示）で覆ってもよい。
【００１０】
図４（ａ）は、貯水施設１を側方から示し、図４（ｂ）は、貯水施設１を上方から示す。図のように、通路２０は、隣接する空隙組立体１０の間に形成され、通路２０の両側には、複数の通路壁２１が通路方向に間隔を空けて配列されるとともに、通路壁２１同士            連結部材３１で連結されている。
【００１１】
図５（ａ）は、通路壁２１を、図５（ｂ）、（ｃ）は、連結部材３１，３１’をそれぞれ平面視で示す。図のように、通路壁２１は、平板状の部材であり、下方両側に切欠形状の係合凹部２２を有し、上方中央付近に貫通孔２３を有する。連結部材３１は、平板状の部材であり、外周の４個所（連結部材３１’は８個所）に係合凹部２２に係合可能な切欠形状の係合凹部３２を有する。連結部材３１，３１’は、コンクリート等で形成するとよい。
【００１２】
上記係合凹部２２に係合凹部３２を挿入して相欠き継ぎ式で通路壁２１と連結部材３１を組み立てることにより、図４に示すように、対向・隣接する４つの通路壁２１（通路２０を挟んで対向する一対の通路壁２１と、通路方向でこの一対の通路壁２１に隣接する他の一対の通路壁２１の合計４つ）を１つの連結部材３１で連結した構造とすることができる。相欠き継ぎ式なので、通路壁２１を強固に立設できる。貫通孔２３に通したボルト２４で対向する通路壁２１を螺子締め固定すれば、一層強固にできる。
【００１３】
貯水施設１の外周は、複数の外周側壁４０で取り囲むのがよい。外周側壁４０の立設支持には、支持部材５０を使用するのがよい。
【００１４】
図６は、外周側壁４０の斜視図を示す。外周側壁４０は、下部両側に切欠４１を有する。図７は、支持部材５０の斜視図、平面図及び側断面図を示す。支持部材５０は、係合凹部５１を有する。切欠４１と係合凹部５１を一致させて係合凹部５１に外周側壁４０を挿入することで、相欠き継ぎ式で支持部材５０に外周側壁４０を固定することができる。支持部材５０は、図３に示すように、隣接するブロック１１の間のスペースに配置するとよい。
【００１５】
上記のように空隙組立体１０及び通路壁２１（あるいは更に外周側壁４０）を配置してから、空隙組立体１０及び通路壁２１（及び外周側壁４０）の上端に天井６０を架設する。
【００１６】
通路壁２１、外周側壁４０、支持部材５０及び天井６０は、コンクリート・鉄筋コンクリート等の剛性材料（耐クリープ性の硬質材料）で形成するのがよい。
【００１７】
天井６０の架設に当たっては、通路壁２１の上端に係止したＺ状金具２５（図８参照）の間にコンパネ２６を渡し、空隙組立体１０、通路壁２１、コンパネ２６及び外周側壁４０の上面全体を覆うように保護シート６１を敷き、その上に生コンクリートを打設して硬化させるのがよい。これにより、天井６０に通路壁２１（外周側壁４０も同様）を包み込むような凹部形状が形成される（図９参照）ので、貯水施設１の強度が増して、土圧（図１の矢印参照）に対する強度が高くなる。
【００１８】
貯水施設１では、通路２０があるため、貯水施設１内部の保守点検清掃が可能になる。通路壁２１が間隔を開けて配置されているため、空隙組立体１０の内部を点検及び／又は補修し、或いは、高圧水で洗浄し、或いは、吸引ホース等で泥濘等を吸引する等が可能である。相欠き継ぎ式で通路壁２１と連結部材３１を組み立てているので、十分な強度確保が可能である。天井６０の生コンクリート硬化後にＺ状金具２５をバールでこじればコンパネ２６を取り外すことができる。コンパネ２６やボルト２４は再利用可能で経済的である。
【００１９】
図１０は、変形形態に係る連結部材３１Ａを示す。連結部材３１Ａは、２本の横材３３（図１１（ａ））と２本の縦材３５（図１１（ｂ））で形成できる。横材３３の係合凹部３４を対向する通路壁２１の係合凹部２２に相欠き継ぎ式で連結し、さらにその横材３３に縦材３５の係合凹部３６を挿入することで、通路壁２１と連結部材３１Ａが連結される。
【００２０】
上記実施形態に記載した貯水施設やその要素の寸法、形状、配置、個数、材料等は例示であり、他の態様も可能である。
【符号の説明】
【００２１】
１・・・貯水施設
２・・・窪地
３・・・地面
１０・・・空隙組立体
１１・・・ブロック
１２・・・連結部材
１３・・・補強柱
２０・・・通路
２１・・・通路壁
２２・・・係合凹部
２３・・・貫通孔
２４・・・ボルト
２５・・・Ｚ状金具
２６・・・コンパネ
３１，３１Ａ・・・連結部材
３２・・・係合凹部
３３・・・横材
３４・・・係合凹部
３５・・・縦材
３６・・・係合凹部
４０・・・外周側壁
４１・・・切欠
５０・・・支持部材
５１・・・係合凹部
６０・・・天井
６１・・・保護シート
【図１】
2019044381.tif 000003
【図２】
2019044381.tif 000004
【図３】
2019044381.tif 000005
【図４】
2019044381.tif 000006
【図５】
2019044381.tif 000007
【図６】
2019044381.tif 000008
【図７】
2019044381.tif 000009
【図８】
2019044381.tif 000010
【図９】
2019044381.tif 000011
【図１０】
2019044381.tif 000012
【図１１】
2019044381.tif 000013
【図１２】
2019044381.tif 000014